(57)【要約】【課題】第１利用者と第２利用者の各識別情報が決められた条件を満たすときに、端末装置からの指示に応じて読取装置に原稿を読み取らせる。【解決手段】読取装置１の読取部１６は原稿を読み取り、制御部１１は原稿を供給する第１利用者を特定する特定部１１１、第２利用者により操作される端末装置から指示を受信する受信部１１２、第２利用者の認証情報を取得して認証を行う認証部１１３、および認証が成功した場合に、指示に応じて読取部１６が原稿を読み取ることを許可する許可部１１４として機能する。端末装置２の制御部２１は、読取装置１で特定された第１利用者の識別情報を取得する第１取得部２１１、第２利用者の操作を受け付ける受付部２１２、第２利用者の識別情報を取得する第２取得部２１３、第１利用者と第２利用者の各識別情報が決められた条件を満たす場合に、受け付けた操作に応じた指示を読取装置１へ送信する送信部２１４として機能する。【選択図】図５
2014036389.tif 000002
【特許請求の範囲】
【請求項１】
読取装置と、
前記読取装置に指示を送信する端末装置とを備え、
前記読取装置は、
自読取装置を操作する第１利用者を特定する特定部と、
原稿を読み取る読取部と、
前記端末装置を操作する第２利用者の認証情報と自読取装置への指示とを当該端末装置から受信する受信部と、
前記認証情報に基づいて認証を行う認証部と、
前記認証部による認証が成功した場合に、前記受信部が受信した前記指示に応じて、前記読取部が前記原稿を読み取ることを許可する許可部とを備え、
前記端末装置は、
前記読取装置において前記特定部により特定された前記第１利用者の識別情報を当該読取装置から取得する第１取得部と、
前記第２利用者の操作を受け付ける受付部と、
前記第２利用者の識別情報を自端末装置において取得する第２取得部と、
前記第１取得部が取得した前記第１利用者の識別情報と、前記第２取得部が取得した前記第２利用者の識別情報とが決められた条件を満たす場合に、前記受付部が受け付けた操作に応じた指示と、前記認証情報とを前記読取装置へ送信する送信部とを備える
ことを特徴とする読取システム。
【請求項２】
読取装置と、
前記読取装置に指示を送信する端末装置とを備え、
前記読取装置は、
自読取装置を操作する第１利用者を特定する特定部と、
原稿を読み取る読取部と、
前記端末装置を操作する第２利用者の識別情報を含む認証情報と自読取装置への指示とを当該端末装置から受信する受信部と、
前記認証情報に基づいて認証を行う認証部と、
前記特定部により特定された前記第１利用者の識別情報と、前記第２利用者の前記識別情報とが決められた条件を満たし、且つ、前記認証部による認証が成功した場合に、前記受信部が受信した前記指示に応じて、前記読取部が前記原稿を読み取ることを許可する許可部とを備え、
前記端末装置は、
前記第２利用者の操作を受け付ける受付部と、
前記認証情報を自端末装置において取得する取得部と、
前記受付部が受け付けた操作に応じた指示と、前記認証情報とを前記読取装置へ送信する送信部とを備える
ことを特徴とする読取システム。
【請求項３】
前記読取装置は、
前記第１利用者の操作を受け付け、当該操作に応じて前記読取部に前記原稿を読み取らせる読取制御部と、
前記許可部により前記読取部が前記原稿を読み取ることを許可されている期間にわたって、前記読取制御部が前記操作を受け付けること、または前記読取制御部が受け付けた前記操作に応じて前記読取部に前記原稿を読み取らせることを制限する制限部とを備える
ことを特徴とする請求項１または２に記載の読取システム。
【請求項４】
前記読取装置は、
前記期間にわたって、前記制限部による制限を受けている旨を前記第１利用者に報知する報知部を備える
ことを特徴とする請求項３に記載の読取システム。
【請求項５】
前記読取装置は、
前記端末装置が、前記指示に基づいた結果を自読取装置から受信したことに基づいて、当該端末装置に記憶されている前記第２利用者の課金情報を用いて前記第２利用者に課金する処理を行う課金手段を備える
ことを特徴とする請求項１から４のいずれか１項に記載の読取システム。
【請求項６】
自読取装置を操作する第１利用者を特定する特定部と、原稿を読み取る読取部と、端末装置を操作する第２利用者の認証情報と自読取装置への指示とを当該端末装置から受信する受信部と、前記第２利用者の認証情報に基づいて認証を行う認証部と、前記認証部による認証が成功した場合に、前記受信部が受信した前記指示に応じて、前記読取部が前記原稿を読み取ることを許可する許可部とを備える読取装置から、前記特定部により特定された前記第１利用者の識別情報を取得する第１取得部と、
前記第２利用者の操作を受け付ける受付部と、
前記第２利用者の識別情報を当該端末装置において取得する第２取得部と、
前記第１取得部が取得した前記第１利用者の識別情報と、前記第２取得部が取得した前記第２利用者の識別情報とが決められた条件を満たす場合に、前記受付部が受け付けた操作に応じた指示と、前記認証情報とを前記読取装置へ送信する送信部と
を備える前記端末装置。
【請求項７】
第２利用者の操作を受け付ける受付部と、前記第２利用者の識別情報を含む認証情報を自端末装置において取得する取得部と、前記受付部が受け付けた前記操作に応じた指示と、前記認証情報とを送信する送信部とを備える端末装置から、前記認証情報と前記指示とを受信する受信部と、
自読取装置を操作する第１利用者を特定する特定部と、
原稿を読み取る読取部と、
前記認証情報に基づいて認証を行う認証部と、
前記特定部により特定された前記第１利用者の識別情報と、前記第２利用者の前記識別情報とが決められた条件を満たし、且つ、前記認証部による認証が成功した場合に、前記受信部が受信した前記指示に応じて、前記読取部が前記原稿を読み取ることを許可する許可部と
を備える読取装置。
【請求項８】
自読取装置を操作する第１利用者を特定する特定部と、原稿を読み取る読取部と、端末装置を操作する第２利用者の認証情報と自読取装置への指示とを当該端末装置から受信する受信部と、前記第２利用者の認証情報に基づいて認証を行う認証部と、前記認証部による認証が成功した場合に、前記受信部が受信した前記指示に応じて、前記読取部が前記原稿を読み取ることを許可する許可部とを備える読取装置に対し、指示を送信する前記端末装置のコンピュータを、
前記特定部により特定された前記第１利用者の識別情報を前記読取装置から取得する第１取得部と、
前記第２利用者の操作を受け付ける受付部と、
前記第２利用者の識別情報を前記端末装置において取得する第２取得部と、
前記第１取得部が取得した前記第１利用者の識別情報と、前記第２取得部が取得した前記第２利用者の識別情報とが決められた条件を満たす場合に、前記受付部が受け付けた操作に応じた指示と、前記認証情報とを前記読取装置へ送信する送信部
として機能させるためのプログラム。
【請求項９】
第２利用者の操作を受け付ける受付部と、前記第２利用者の識別情報を含む認証情報を自端末装置において取得する取得部と、前記受付部が受け付けた前記操作に応じた指示と、前記認証情報とを送信する送信部とを備える端末装置から、前記認証情報と前記指示とを受信する読取装置のコンピュータを、
前記読取装置を操作する第１利用者を特定する特定部と、
原稿を読み取る読取部と、
前記認証情報に基づいて認証を行う認証部と、
前記特定部により特定された前記第１利用者の識別情報と、前記第２利用者の前記識別情報とが決められた条件を満たし、且つ、前記認証部による認証が成功した場合に、受信した前記指示に応じて、前記読取部が前記原稿を読み取ることを許可する許可部
として機能させるためのプログラム。
【発明の詳細な説明】
【技術分野】
【０００１】
本発明は、読取システム、端末装置、読取装置およびプログラムに関する。
【背景技術】
【０００２】
特許文献１には、画像形成装置と携帯電話のそれぞれに近距離無線データ通信手段を設置し、前記画像形成装置と前記携帯電話との間で近距離無線データ通信技術を利用したデータの送受信を行い、前記携帯電話を前記画像形成装置の操作部として使用する画像形成装置の操作システムであって、前記携帯電話の記憶手段には、前記画像形成装置の操作部の全機能に対応する操作用プログラムが記録されており、前記画像形成装置は、前記携帯電話からの操作開始信号を受信すると、前記携帯電話に対して画像形成装置の操作部の機能データを出力する一方、前記携帯電話は、前記画像形成装置からの操作部の機能データを受信すると、その受信した機能データに対応する操作用プログラムを前記記憶手段から読み出して実行し、制御信号を前記画像形成装置に送信することを特徴とする画像形成装置の操作システムが記載されている。
【先行技術文献】
【特許文献】
【０００３】
【特許文献１】特開２００３−１０７９６２号公報
【発明の概要】
【発明が解決しようとする課題】
【０００４】
本発明は、読取装置に原稿を供給する第１利用者の識別情報と、読取装置に指示を送信する端末装置を操作する第２利用者の識別情報とが決められた条件を満たすときに、端末装置からの指示に応じて読取装置に原稿を読み取らせることを目的とする。
【課題を解決するための手段】
【０００５】
本発明の請求項１に係る読取システムは、読取装置と、前記読取装置に指示を送信する端末装置とを備え、前記読取装置は、自読取装置を操作する第１利用者を特定する特定部と、原稿を読み取る読取部と、前記端末装置を操作する第２利用者の認証情報と自読取装置への指示とを当該端末装置から受信する受信部と、前記認証情報に基づいて認証を行う認証部と、前記認証部による認証が成功した場合に、前記受信部が受信した前記指示に応じて、前記読取部が前記原稿を読み取ることを許可する許可部とを備え、前記端末装置は、前記読取装置において前記特定部により特定された前記第１利用者の識別情報を当該読取装置から取得する第１取得部と、前記第２利用者の操作を受け付ける受付部と、前記第２利用者の識別情報を自端末装置において取得する第２取得部と、前記第１取得部が取得した前記第１利用者の識別情報と、前記第２取得部が取得した前記第２利用者の識別情報とが決められた条件を満たす場合に、前記受付部が受け付けた操作に応じた指示と、前記認証情報とを前記読取装置へ送信する送信部とを備えることを特徴とする。
【０００６】
本発明の請求項２に係る読取システムは、読取装置と、前記読取装置に指示を送信する端末装置とを備え、前記読取装置は、自読取装置を操作する第１利用者を特定する特定部と、原稿を読み取る読取部と、前記端末装置を操作する第２利用者の識別情報を含む認証情報と自読取装置への指示とを当該端末装置から受信する受信部と、前記認証情報に基づいて認証を行う認証部と、前記特定部により特定された前記第１利用者の識別情報と、前記第２利用者の前記識別情報とが決められた条件を満たし、且つ、前記認証部による認証が成功した場合に、前記受信部が受信した前記指示に応じて、前記読取部が前記原稿を読み取ることを許可する許可部とを備え、前記端末装置は、前記第２利用者の操作を受け付ける受付部と、前記認証情報を自端末装置において取得する取得部と、前記受付部が受け付けた操作に応じた指示と、前記認証情報とを前記読取装置へ送信する送信部とを備えることを特徴とする。
【０００７】
本発明の請求項３に係る読取システムは、請求項１または２に記載の態様において、前記読取装置は、前記第１利用者の操作を受け付け、当該操作に応じて前記読取部に前記原稿を読み取らせる読取制御部と、前記許可部により前記読取部が前記原稿を読み取ることを許可されている期間にわたって、前記読取制御部が前記操作を受け付けること、または前記読取制御部が受け付けた前記操作に応じて前記読取部に前記原稿を読み取らせることを制限する制限部とを備えることを特徴とする。
【０００８】
本発明の請求項４に係る読取システムは、請求項３に記載の態様において、前記読取装置は、前記期間にわたって、前記制限部による制限を受けている旨を前記第１利用者に報知する報知部を備えることを特徴とする。
【０００９】
本発明の請求項５に係る読取システムは、請求項１から４のいずれか１項に記載の態様において、前記読取装置は、前記端末装置が、前記指示に基づいた結果を自読取装置から受信したことに基づいて、当該端末装置に記憶されている前記第２利用者の課金情報を用いて前記第２利用者に課金する処理を行う課金手段を備えることを特徴とする。
【００１０】
本発明の請求項６に係る端末装置は、自読取装置を操作する第１利用者を特定する特定部と、原稿を読み取る読取部と、端末装置を操作する第２利用者の認証情報と自読取装置への指示とを当該端末装置から受信する受信部と、前記第２利用者の認証情報に基づいて認証を行う認証部と、前記認証部による認証が成功した場合に、前記受信部が受信した前記指示に応じて、前記読取部が前記原稿を読み取ることを許可する許可部とを備える読取装置から、前記特定部により特定された前記第１利用者の識別情報を取得する第１取得部と、前記第２利用者の操作を受け付ける受付部と、前記第２利用者の識別情報を当該端末装置において取得する第２取得部と、前記第１取得部が取得した前記第１利用者の識別情報と、前記第２取得部が取得した前記第２利用者の識別情報とが決められた条件を満たす場合に、前記受付部が受け付けた操作に応じた指示と、前記認証情報とを前記読取装置へ送信する送信部とを備える。
【００１１】
本発明の請求項７に係る読取装置は、第２利用者の操作を受け付ける受付部と、前記第２利用者の識別情報を含む認証情報を自端末装置において取得する取得部と、前記受付部が受け付けた前記操作に応じた指示と、前記認証情報とを送信する送信部とを備える端末装置から、前記認証情報と前記指示とを受信する受信部と、自読取装置を操作する第１利用者を特定する特定部と、原稿を読み取る読取部と、前記認証情報に基づいて認証を行う認証部と、前記特定部により特定された前記第１利用者の識別情報と、前記第２利用者の前記識別情報とが決められた条件を満たし、且つ、前記認証部による認証が成功した場合に、前記受信部が受信した前記指示に応じて、前記読取部が前記原稿を読み取ることを許可する許可部とを備える。
【００１２】
本発明の請求項８に係るプログラムは、自読取装置を操作する第１利用者を特定する特定部と、原稿を読み取る読取部と、端末装置を操作する第２利用者の認証情報と自読取装置への指示とを当該端末装置から受信する受信部と、前記第２利用者の認証情報に基づいて認証を行う認証部と、前記認証部による認証が成功した場合に、前記受信部が受信した前記指示に応じて、前記読取部が前記原稿を読み取ることを許可する許可部とを備える読取装置に対し、指示を送信する前記端末装置のコンピュータを、前記特定部により特定された前記第１利用者の識別情報を前記読取装置から取得する第１取得部と、前記第２利用者の操作を受け付ける受付部と、前記第２利用者の識別情報を前記端末装置において取得する第２取得部と、前記第１取得部が取得した前記第１利用者の識別情報と、前記第２取得部が取得した前記第２利用者の識別情報とが決められた条件を満たす場合に、前記受付部が受け付けた操作に応じた指示と、前記認証情報とを前記読取装置へ送信する送信部として機能させるためのプログラムである。
【００１３】
本発明の請求項９に係るプログラムは、第２利用者の操作を受け付ける受付部と、前記第２利用者の識別情報を含む認証情報を自端末装置において取得する取得部と、前記受付部が受け付けた前記操作に応じた指示と、前記認証情報とを送信する送信部とを備える端末装置から、前記認証情報と前記指示とを受信する読取装置のコンピュータを、前記読取装置を操作する第１利用者を特定する特定部と、原稿を読み取る読取部と、前記認証情報に基づいて認証を行う認証部と、前記特定部により特定された前記第１利用者の識別情報と、前記第２利用者の前記識別情報とが決められた条件を満たし、且つ、前記認証部による認証が成功した場合に、受信した前記指示に応じて、前記読取部が前記原稿を読み取ることを許可する許可部として機能させるためのプログラムである。
【発明の効果】
【００１４】
請求項１、２に係る発明によれば、読取装置に原稿を供給する第１利用者の識別情報と、端末装置を操作する第２利用者の識別情報とが決められた条件を満たすときに、端末装置からの指示に応じて読取装置に原稿を読み取らせることができる。
請求項３に係る発明によれば、端末装置からの指示に応じて読取装置に原稿を読み取らせる際に、第１利用者の操作に応じた原稿の読み取りを制限することができる。
請求項４に係る発明によれば、第１利用者が原稿の読み取りを制限されていることを知ることができる。
請求項５に係る発明によれば、当該構成を有さない場合と比べて、読取装置から送信された結果を端末装置で受信した利用者に対してより確実に課金を行うことができる。
請求項６、８に係る発明によれば、読取装置に原稿を供給する第１利用者の識別情報と、端末装置を操作する第２利用者の識別情報とが決められた条件を満たすときに、端末装置から読取装置へ原稿を読み取らせる指示を送信することができる。
請求項７、９に係る発明によれば、読取装置に原稿を供給する第１利用者の識別情報と、端末装置を操作する第２利用者の識別情報とが決められた条件を満たすときに、端末装置からの指示に応じて読取部に原稿を読み取らせることができる。
【図面の簡単な説明】
【００１５】
【図１】第１実施形態に係る読取システムの全体構成を示す図である。
【図２】第１実施形態に係る読取装置の構成を示す図である。
【図３】第１実施形態に係る読取装置において、利用者ごとの実行可能なサービスの一覧情報及びその利用者の利用者名、ＩＤ、パスワードがそれぞれ対応づけられていることを示す図である。
【図４】第１実施形態に係る端末装置の構成を示す図である。
【図５】第１実施形態に係る読取システムの機能的構成を示す図である。
【図６】第１実施形態に係る読取システムの動作の流れを示すシーケンス図である。
【図７】第２実施形態に係る読取システムの機能的構成を示す図である。
【図８】第２実施形態に係る読取システムの動作の流れを示すシーケンス図である。
【図９】変形例における読取システムの動作の流れを示すシーケンス図である。
【発明を実施するための形態】
【００１６】
１．第１実施形態
１−１．読取システムの構成
図１は、本発明の第１実施形態に係る読取システム９の全体構成を示す図である。読取システム９は、読取装置１と、端末装置２と、通信回線３とを備える。通信回線３は、読取装置１と端末装置２との間の通信を実現する。なお、図１において端末装置２は１台のみであるが、読取システム９は、複数の端末装置２を備えていてもよい。また読取システム９において、読取装置１と端末装置２とは、通信回線３を介して互いに通信しているが、図１の破線で示すように、読取装置１と端末装置２とが、例えば無線ＬＡＮ（Local Area Network）におけるアドホック・モードなどを利用して直接に通信をしてもよい。
【００１７】
１−２．読取装置の構成
図２は、読取装置１の構成を示す図である。読取装置１は、制御部１１、記憶部１２、通信部１３、操作部１４、表示部１５、読取部１６、および画像形成部１７を有する。
【００１８】
制御部１１は、読取装置１の各部の動作を制御する手段である。制御部１１は、ＣＰＵ（Central Processing Unit）などの演算処理装置や、ＲＯＭ（Read Only Memory）、ＲＡＭ（Random Access Memory）などの記憶装置を備え、これら記憶装置や記憶部１２に記憶されたプログラムを実行することによって読取装置１の各部を制御する。
【００１９】
記憶部１２はハードディスクドライブなどの大容量の記憶手段であり、制御部１１に読み込まれるプログラムや各種データなどを記憶する。記憶部１２には、読取装置１の利用者を認証するための認証情報も記憶される。認証情報は、例えば、読取装置１の利用を許可された利用者に対応づけられた利用者名とそのＩＤ（Identification）とパスワードなどである。また、例えば、当該認証情報には、利用者ごとの読取装置１における実行可能なサービスの一覧情報を含ませてもよい。図３は、当該利用者ごとの実行可能なサービスの一覧情報及び当該利用者の利用者名とそのＩＤとパスワードがそれぞれ対応づけられていることを示している。図３の一覧情報において、利用者Ａは読取装置１に対して、「ＦＡＸ送信機能」、カラーで原稿を読み取る「カラー読取機能」、及びカラーで原稿を複写する「カラーコピー機能」のいずれも実行する権限を有している。利用者Ｂは、読取装置１に対して、「ＦＡＸ送信機能」、及び「カラー読取機能」を実行する権限を有しているが、「カラーコピー機能」を実行する権限は有していない。また、利用者Ｃは、読取装置１に対して、「ＦＡＸ送信機能」を実行する権限を有しているが、「カラー読取機能」、及び「カラーコピー機能」を実行する権限は有していない。さらに、それぞれの利用者ごとにＩＤとパスワードが対応付けられている。
なお、制御部１１に備えられた記憶装置や記憶部１２は、いわゆるリムーバブルディスク、すなわち着脱可能な記録媒体を含んでもよい。
【００２０】
通信部１３は、端末装置２との間で情報を通信するインターフェースであり、例えば各種のモデムやIMT-2000に準拠した無線通信回路、あるいは、ＵＳＢ（Universal Serial Bus）規格に準拠したシリアルインターフェースや、ＩｒＤＡ（Infrared Data Association）、Bluetooth（登録商標）などに準拠した無線インターフェースなどである。また、通信部１３は、例えば、ファクシミリ機能を有していてもよい。
【００２１】
操作部１４は各種の指示を入力するために座標を示す情報を取得する座標取得部や、操作ボタンを備えており、ユーザによる操作を受け付けてその操作内容に応じた信号を制御部１１に供給する。
表示部１５は、液晶などを使用したディスプレイ装置であり、制御部１１からの指示に応じて表示面に画像を表示する。なお、表示部１５の表示面には、操作部１４の座標取得部が重ねて配置されていてもよい。
【００２２】
読取部１６は、原稿を光学的に読み取って画像データを生成する処理を実行する。
画像形成部１７は、制御部１１により指定された画像データに応じた画像を媒体上に形成する。
【００２３】
１−３．端末装置の構成
図４は、端末装置２の構成を示す図である。端末装置２は、制御部２１、記憶部２２、通信部２３、操作部２４、および表示部２５を有する。制御部１１は、読取装置１の各部の動作を制御する手段である。
【００２４】
制御部１１は、ＣＰＵなどの演算処理装置や、ＲＯＭ、ＲＡＭなどの記憶装置を備え、これら記憶装置や記憶部２２に記憶されたプログラムを実行することによって端末装置２の各部を制御する。記憶部２２はソリッドステートドライブなどの大容量の記憶手段であり、制御部２１に読み込まれるプログラムや各種データなどを記憶する。通信部２３は、読取装置１との間で情報を通信するインターフェースであり、例えば各種のモデムやIMT-2000に準拠した無線通信回路、あるいは、ＵＳＢ規格に準拠したシリアルインターフェースや、ＩｒＤＡ、Bluetooth（登録商標）などに準拠した無線インターフェースなどである。
【００２５】
操作部２４は各種の指示を入力するために座標を示す情報を取得する座標取得部や、操作ボタンを備えており、ユーザによる操作を受け付けてその操作内容に応じた信号を制御部２１に供給する。表示部２５は、液晶などを使用したディスプレイ装置であり、制御部２１からの指示に応じて表示面に画像を表示する。なお、表示部２５の表示面には、操作部２４の座標取得部が重ねて配置されていてもよい。
【００２６】
１−４．読取システムの機能的構成
図５は、読取システム９の機能的構成を示す図である。読取装置１の制御部１１は、上述したプログラムを実行することにより、特定部１１１、受信部１１２、認証部１１３、および許可部１１４として機能する。端末装置２の制御部２１は、上述したプログラムを実行することにより、第１取得部２１１、受付部２１２、第２取得部２１３、および送信部２１４として機能する。
【００２７】
特定部１１１は、原稿を供給する利用者を特定する。具体的には、読取装置１には、例えば、利用者が所有するＩＣ（integrated circuit）カードを非接触通信などによって読み取り、その利用者の識別情報を取得するカード読取り機を備える。特定部１１１は、このカード読取り機を制御して利用者の識別情報を取得し、この利用者を特定する。ここで、カード読取り機は、読取部１６による原稿の読み取り位置に物理的に手が届く範囲内に置かれている。したがって、このカード読取り機が読み取る識別情報は、読取部１６に原稿を供給する利用者（以下、第１利用者という）の識別情報と見なされる。なお、特定部１１１は、カード読取り機を用いて第１利用者を特定するが、他の装置や機構などを用いて第１利用者を特定してもよい。要するに、特定部１１１は、読取装置１を直接的に操作する利用者を第１利用者として特定すればよい。ここでいう「読取装置１を操作すること」には、読取装置１の特定部１１１に対して利用者を特定させるための種々の操作が含まれる。
【００２８】
端末装置２は、利用者の操作を受け付けて決められた条件を満たした場合に、その操作に応じた指示を読取装置１に送信する。以下、端末装置２を操作する利用者を第２利用者という。この第２利用者は、必ずしも上述した第１利用者とは限らない。すなわち、端末装置２を操作する第２利用者は、例えば読取装置１の読取部１６から離れた位置に居て、この読取部１６に原稿を供給しない者である場合がある。
【００２９】
受信部１１２は、通信部１３を制御して、第２利用者により操作される端末装置２から読取部１６への指示を受信する。認証部１１３は、通信部１３を制御して、第２利用者の認証情報を取得して認証を行う。許可部１１４は、認証部１１３による認証が成功した場合に、受信部１１２が受信した指示に応じて、読取部１６が原稿を読み取ることを許可する。
【００３０】
第１取得部２１１は、通信部２３を制御して、読取装置１において特定部１１１により特定された第１利用者の識別情報を取得する。受付部２１２は、操作部２４を制御して、第２利用者の操作を受け付ける。第２取得部２１３は、例えば、記憶部２２に予め記憶されていて第２利用者の識別情報を取得する。送信部２１４は、第１取得部２１１が取得した第１利用者の識別情報と、第２取得部２１３が取得した第２利用者の識別情報とが決められた条件を満たす場合に、受付部２１２が受け付けた操作に応じた指示を読取装置１へ送信する。
【００３１】
ここで決められた条件とは、どのようなものであってもよいが、例えば、上記した２つの識別情報が一致するといった条件などである。また、第１利用者の識別情報および第２利用者の識別情報が、いずれも、各利用者の所属するグループの識別情報と、そのグループ内におけるその利用者の識別情報との組み合わせにより構成されているといった場合、この決められた条件とは、これら２つの識別情報のうち、グループの識別情報同士が一致するといった条件であってもよい。
【００３２】
１−５．読取システムの動作
図６は、読取システム９の動作の流れを示すシーケンス図である。第１利用者が自身の所有するＩＣカードを読取装置１のカード読取り機にかざすと、読取装置１の制御部１１は、カード読取り機を制御して、このカード読取り機がＩＣカードから読み取った第１利用者の識別情報を取得する。これにより制御部１１は、第１利用者を特定する（ステップＳ１０１）。
【００３３】
一方、端末装置２の制御部２１は、操作部２４を制御して第２利用者の操作を受け付ける（ステップＳ１０２）。制御部２１は、受け付けた操作を解析し、この操作が読取装置１の読取部１６に原稿を読み取らせる指示を表していることを特定すると、この読取装置１に向けて、読取装置１において特定された第１利用者の識別情報を要求する（ステップＳ１０３）。なお、読取装置１の読取部１６に原稿を読み取らせる指示とは、具体的には、読み取る色について定めたカラーモードや、生成する画像データのフォーマット、読み取りの解像度、両面読み取りの要否、原稿の画質、読み取りのサイズ、原稿の向きなど、読み取り処理に用いられる種々のパラメータを含む。また、この指示には、読取装置の識別情報や、読み取りの結果、生成される画像データの送信先の識別情報などが含まれていてもよい。
【００３４】
読取装置１が、上述した要求に応じて第１利用者の識別情報を応答する（ステップＳ１０４）と、端末装置２の制御部２１は、この応答により取得した第１利用者の識別情報と、記憶部２２などに予め記憶されている第２利用者の識別情報とを照合する（ステップＳ１０５）。
【００３５】
そして、この照合の結果、例えば第１利用者の識別情報と第２利用者の識別情報とが一致したために、これらの識別情報が上記の「決められた条件」を満たす場合、端末装置２の制御部２１は、通信部２３を制御してステップＳ１０２において受け付けた操作に応じた指示を読取装置１へ送信する（ステップＳ１０６）。このとき、制御部２１は、この指示とともに、第２利用者の認証情報を読取装置１へ送信する。
【００３６】
なお、上述した照合の結果、第１利用者の識別情報と第２利用者の識別情報とが一致しなかった場合、制御部２１は、上述した指示を読取装置１へ送信しない。このとき、制御部２１は、例えば表示部１５を制御して「ご指定の読取装置は他の方が利用中のため、原稿の読み取りができません」などといった警告文を表示面に表示させてもよい。
【００３７】
読取装置１の制御部１１は、端末装置２から指示と第２利用者の認証情報とを受け取ると、この第２利用者の認証情報を、予め記憶部１２に記憶されている読取装置１の利用者の認証情報に基づいて認証処理を行う（ステップＳ１０７）。
【００３８】
ここで、例えば、端末装置２からの指示として「カラー読取」の指示が含まれ、第２利用者の認証情報として利用者ＡのＩＤ「Ａ」とパスワード「ｒｉｙｏｕｓｈａ−Ａ」とが含まれているとする。この場合に、制御部１１は、利用者ＡのＩＤ「Ａ」とパスワード「ｒｉｙｏｕｓｈａ−Ａ」は、図３に示されるような記憶部１２に記憶されている一覧情報のものと一致することを確認し、かつ、記憶部１２に記憶されている一覧情報を参照して利用者Ａには「カラー読取」の機能を実行することが許可されていることを確認することで読取部１６が原稿を読み取ることを許可する。つまり、この場合、認証は成功することとなる。また、例えば、端末装置２からの指示として「カラー読取」の指示が含まれ、第２利用者の認証情報として利用者ＣのＩＤ「Ｃ」とパスワード「ｒｉｙｏｕｓｈａ−Ｃ」とが含まれているとする。この場合に、読取装置１の制御部１１は、利用者ＡのＩＤ「Ｃ」とパスワード「ｒｉｙｏｕｓｈａ−Ｃ」が記憶部１２に記憶されているものと一致することを確認できる。しかしながら、制御部１１は、記憶部１２に記憶されている一覧情報を参照して利用者Ｃには「カラー読取」の機能を実行することが禁止されていることを確認することになるため、読取部１６が原稿を読み取ることを許可しない。つまり、この場合、認証は成功しないこととなる。
ステップＳ１０７において、認証が成功した場合、制御部１１は、この指示に応じて読取部１６が原稿を読み取ることを許可し、読取部１６は第１利用者が供給した原稿を読み取る（ステップＳ１０８）。
【００３９】
ここで、例えば上述した指示の内容が、読取部１６に原稿を読み取らせた後、これにより生成させた画像データを、通信回線３を介して端末装置２へ送信させるというものであった場合、読取装置１の制御部１１は、通信部１３を制御して、読取部１６が生成したこの画像データを端末装置２へ送信する（ステップＳ１０９）。この場合、上述した指示には、例えば、転送先として端末装置２のＩＰ（Internet Protocol）アドレスが含まれており、読取装置１は、このＩＰアドレスを用いて端末装置２を特定し、この端末装置２へ上述した画像データを送信する。
【００４０】
なお、上述した指示の内容は、画像データを端末装置２へ送信させるものに限られず、例えば、生成させた画像データが示す画像を、画像形成部１７により媒体に形成させるものであってもよい。また、上述した指示の内容は、例えば生成させた画像データを、電話回線などを介して他の受信装置に受信させ、その受信装置においてその画像データが示す画像を媒体に形成させるものであってもよい。すなわち、上述した指示の内容は、原稿のコピーやファクシミリ送信であってもよい。
【００４１】
また、この画像データは、例えばＦＴＰ（File Transfer Protocol）、ＳＭＢ（Server Message Block）、ＨＴＴＰ（HyperText Transfer Protocol）、ＷｅｂＤＡＶ（Web Distributed Authoring and Versioning）、ＳＯＡＰ（Simple Object Access Protocol）など、コネクションを確立してデータ通信を行うプロトコルによって送信されてもよい。また、ＳＭＴＰ（Simple Mail Transfer Protocol）など、メール転送プロトコルによって、メールに添付する添付データとして送信されてもよい。この場合、上述した指示には転送先として端末装置２に固有のメールアドレスや第２利用者のメールアドレスなどが含まれていて、読取装置１は、これらのメールアドレスを用いて端末装置２を特定し、この端末装置２へ上述した画像データを送信すればよい。また、これらのプロトコルは、ＳＳＬ（Secure Sockets Layer）／ＴＬＳ（Transport Layer Security）などを用いた認証機構によって、保護されてもよい。
【００４２】
制御部１１は、読取部１６による原稿の読み取りと、通信部１３による画像データの送信とが成功したか否かの情報とともに、この指示の内容を記憶部１２に記録する（ステップＳ１１０）。
【００４３】
なお、ステップＳ１０９の送信は、ステップＳ１１０の記録の後に行ってもよい。この場合、制御部１１は、読取部１６による原稿の読み取りが成功したか否かの情報とともに、この指示の内容を記憶部１２に記録すればよい。
端末装置２の制御部２１は、読取装置１によって送信されたこの画像データを受信すると、表示部１５を制御して、この画像データが示す画像を表示部１５の表示面に表示させる（ステップＳ１１１）。
【００４４】
以上、説明した通り、読取システム９において、読取装置１は原稿を供給する第１利用者を特定し、端末装置２は、自身を操作する第２利用者の識別情報と、読取装置１において特定された第１利用者の識別情報とが決められた条件を満たす場合に、読取装置１の読取部１６に原稿を読み取らせる指示を送信する。この構成のため、読取システム９では、
例えば端末装置２を操作する第２利用者の識別情報と、読取装置１において特定された第１利用者の識別情報とが決められた条件を満たさない場合に、その第２利用者が操作する端末装置２から、その原稿を読取装置１に読み取らせる指示を送信することが禁じられる。
【００４５】
また、上述した読取システム９は、例えば、端末装置２を操作する第２利用者の識別情報と、読取装置１において特定された第１利用者の識別情報とが一致しない場合に、当該第２利用者が操作する端末装置２から、その原稿を読取装置１に読み取らせる指示を送信することが禁じられる。すなわち、例えば、端末装置２を操作する第２利用者と、読取装置１において特定された第１利用者とが異なることを端末装置２が確認した場合に、当該第２利用者が操作する端末装置２からの指示に基づいて読取装置１に供給された原稿が読み取られることの防止が図られる。
【００４６】
さらに、例えば、端末装置２を操作する第２利用者の識別情報と、読取装置１において特定された第１利用者の識別情報とが一致しない場合に、当該第２利用者が操作する端末装置２から、その原稿を読取装置１に読み取らせる指示を送信することが禁じられる。すなわち、例えば、端末装置２を操作する第２利用者と、読取装置１において特定された第１利用者とが異なることを端末装置２が確認した場合に、読取装置１において当該第１利用者が特定されている状態で、当該第２利用者が操作する端末装置２からの指示に基づいて読取装置１に供給された原稿が読み取られることの防止が図られることとしてもよい。
【００４７】
また、上述したように、読取装置１の制御部１１が読取部１６への指示をその結果とともに記憶部１２に記録する構成とした場合、読取システム９において端末装置２は、自身を操作する第２利用者の識別情報と、読取装置１において特定された第１利用者の識別情報とが決められた条件を満たさない場合には、読取部１６への指示を不正な指示として送信しないので、読取装置１は、不正な指示によるものとして失敗することが分かっている読み取り処理の指示を受け付ける必要がなく、失敗した処理の結果が制御部１１によって記憶部１２記録される回数が抑制される。また、不正な指示を読取装置１へ送信することによる通信回線３への通信負荷が抑制される。
【００４８】
２．第２実施形態
本発明の第２実施形態に係る読取システム９ａは、第２利用者の識別情報と、第１利用者の識別情報とが決められた条件を満たすか否かを判断する主体が読取装置の側にあるという点において、第１実施形態に係る読取システム９と異なる。
図７は、本発明の第２実施形態に係る読取システム９ａの機能的構成を示す図である。読取システム９ａは、読取装置１ａと端末装置２ａと通信回線３（図７において図示せず）とを備える。読取装置１ａは制御部１１ａを備える点が、端末装置２ａは制御部２１ａを備える点が、それぞれ第１実施形態における読取装置１および端末装置２と異なる。制御部１１ａおよび制御部２１ａは、それぞれに備えられた記憶装置や記憶部１２および記憶部２２に記憶されたプログラムを実行することによって図７に示す機能を実現する。
【００４９】
制御部２１ａは、受付部２１２および送信部２１４ａとして機能する。すなわち、制御部２１ａは、第１取得部２１１および第２取得部２１３として機能しないという点において制御部２１と異なる。また、これらの機能のうち、送信部２１４ａは、受付部２１２が受け付けた、第２利用者の操作に応じた指示を読取装置１ａへ送信するものであり、制御部１１によって実現される送信部２１４と異なる。すなわち、端末装置２ａは、第２利用者の識別情報と、第１利用者の識別情報とが決められた条件を満たすか否かを判断することなく、受け付けられた操作に応じた指示を読取装置１ａに送信する。
【００５０】
制御部１１ａは、特定部１１１、受信部１１２、認証部１１３、および許可部１１４ａとして機能する。これらの機能のうち、許可部１１４ａのみが制御部１１によって実現される許可部１１４と異なるため、以下に、許可部１１４ａの機能について説明する。
【００５１】
許可部１１４ａは、まず、第２利用者の識別情報を取得する。これは例えば、通信部１３を介して端末装置２から受信してもよい。次に、許可部１１４ａは、特定部１１１により特定された第１利用者の識別情報と、取得した第２利用者の識別情報とが決められた条件を満たし、且つ、認証部１１３による認証が成功しているか否かを判定する。そして、各識別情報が上記の条件を満たし、且つ上記の認証が成功していると判定した場合、許可部１１４ａは、受信部１１２が受信した指示に応じて、読取部１６が原稿を読み取ることを許可する。すなわち、許可部１１４ａは、第２利用者の識別情報を取得し、特定部１１１により特定された第１利用者の識別情報と、第２利用者の識別情報とが決められた条件を満たし、且つ、認証部１１３による認証が成功した場合に、受信部１１２が受信した指示に応じて、読取部１６が原稿を読み取ることを許可する。
【００５２】
図８は、読取システム９ａの動作の流れを示すシーケンス図である。読取システム９ａの動作は、読取システム９において行われるステップＳ１０３からステップＳ１０６までの処理に変えてステップＳ２０１、ステップＳ２０２の処理を行う点が異なる。したがって、以下、主にステップＳ２０１、ステップＳ２０２の処理について説明する。
【００５３】
ステップＳ１０２において、端末装置２ａの制御部２１ａが、操作部２４を制御して第２利用者の操作を受け付けた後、この制御部２１ａは、第２利用者の識別情報および第２利用者の認証情報とともに、受け付けた操作に応じた指示を読取装置１ａへ送信する（ステップＳ２０１）。読取装置１ａの制御部１１ａは、端末装置２ａから送信された第２利用者の識別情報と、ステップＳ１０１において特定された第１利用者の識別情報とを照合する（ステップＳ２０２）。
【００５４】
そして、この照合の結果、例えば第１利用者の識別情報と第２利用者の識別情報とが一致したために、これらの識別情報が上記の「決められた条件」を満たす場合、読取装置１ａの制御部１１ａは、受け取った第２利用者の認証情報と、予め記憶部１２に記憶されている読取装置１ａの利用者の認証情報に基づいて認証処理を行う（ステップＳ１０７）。この認証処理の結果、認証が成功した場合、制御部１１ａは、この指示に応じて読取部１６が原稿を読み取ることを許可し、読取部１６は第１利用者が供給した原稿を読み取る（ステップＳ１０８）。
【００５５】
以上、説明した通り、読取システム９ａにおいて、読取装置１ａは原稿を供給する第１利用者を特定し、端末装置２ａを操作する第２利用者の識別情報と、特定された第１利用者の識別情報とが決められた条件を満たす場合に、端末装置２ａから受信した指示に応じて読取部１６に原稿を読み取らせることを許可する。
【００５６】
また、例えば、読取システム９ａにおいて、読取装置１ａは原稿を供給する第１利用者を特定し、端末装置２ａを操作する第２利用者の識別情報と、特定された第１利用者の識別情報とが一致する場合に、端末装置２ａから受信した指示に応じて読取部１６に原稿を読み取らせることを許可する。
【００５７】
さらに、例えば、端末装置２を操作する第２利用者の識別情報と、読取装置１において特定された第１利用者の識別情報とが一致しない場合に、当該第２利用者が操作する端末装置２からの指示に基づいて読取装置１ａに供給された原稿を読み取ることを読取装置１ａは禁じる。すなわち、例えば、端末装置２を操作する第２利用者と、読取装置１ａにおいて特定された第１利用者とが異なることを読取装置１ａが確認した場合に、当該第２利用者が操作する端末装置２からの指示に基づいて読取装置１ａに供給された原稿を読み取ることを読取装置１ａは禁止する。
【００５８】
さらに、例えば、端末装置２を操作する第２利用者と、読取装置１ａにおいて特定された第１利用者とが異なることを読取装置１ａが確認した場合に、読取装置１において当該第１利用者が特定されている状態で、当該第２利用者が操作する端末装置２からの指示に基づいて読取装置１ａに供給された原稿を読み取ることを読取装置１ａは禁止することとしてもよい。
したがって読取システム９ａは、読取装置１ａに原稿を供給した第１利用者の意図に反して、その原稿が他の利用者に盗み見られたり、誤って読み取られたりすることが防止されるという効果を奏する。
【００５９】
３．変形例
以上が第１実施形態および第２実施形態の説明であるが、これらの実施形態の内容は以下のように変形し得る。また、以下の変形例を組み合わせてもよい。なお、以下において特別に示さない限り、第２実施形態の構成に付された符号の添字「ａ」を省略する。
３−１．変形例１
上述した実施形態において、読取装置１の制御部１１によって実現する特定部１１１は、利用者が所有するＩＣカードをカード読取り機によって読み取らせることで、読取部１６に原稿を供給する第１利用者を特定していたが、第１利用者を特定する手段は、ＩＣカードに限られない。例えば、特定部１１１は、生物学的な特徴に基づいて第１利用者を特定してもよい。すなわち、読取装置１は、第１利用者の指紋や静脈の形状を読み取ったり、第１利用者の音声を解析してそのフォルマントを抽出したりする、いわゆる生体認証技術を用いることによりこの第１利用者を特定してもよい。また、特定部１１１は、第１利用者が知っている暗証番号を第１利用者に入力させて、この第１利用者を特定してもよい。この場合、第１利用者は、操作部１４を用いて暗証番号を入力すればよい。
【００６０】
３−２．変形例２
上述した実施形態において、読取装置１は、操作部１４および表示部１５を備えていたが、これらの構成を備えていなくてもよい。この場合、読取装置１の操作は端末装置２の操作部２４によって行えばよく、また、読取装置１が利用者に報知する情報は端末装置２の表示部２５によって報知されればよい。さらに、読取装置１は、画像形成部１７及びファクシミリ機能を有する通信部１３のいずれか一方、またはそれら両方を含むものであってもよい。
【００６１】
３−３．変形例３
上述した実施形態において、読取装置１は、操作部１４から第１利用者の操作を受け付けていなかったが、操作部１４から第１利用者の操作を受け付けてもよい。この場合、制御部１１は、操作部１４により第１利用者の操作を受け付け、この操作に応じて読取部１６に原稿を読み取らせる読取制御部として機能すればよい。
【００６２】
また、この場合、制御部１１（許可部１１４）が、第２利用者により操作される端末装置２から受信した指示に応じて読取部１６に原稿を読み取ることを許可している期間にわたって、制御部１１は、操作部１４による第１利用者の操作を受け付けることを制限してもよい。また、この期間にわたって、制御部１１は、操作部１４による第１利用者の操作を受け付けるが、受け付けた操作に応じて読取部１６に原稿を読み取ることを制限してもよい。つまり、制御部１１は、許可部１１４により読取部１６が原稿を読み取ることを許可されている期間にわたって、読取制御部が操作を受け付けること、または読取制御部が受け付けた操作に応じて読取部１６に原稿を読み取らせることを制限する制限部として機能してもよい。
【００６３】
図９は、この変形例における読取システム９の動作の流れを示すシーケンス図である。この変形例における読取システム９の動作は、ステップＳ３０１およびステップＳ３０２を有する点が第１実施形態における読取システム９の動作と異なる。したがって、以下、主にステップＳ３０１およびステップＳ３０２について説明する。
【００６４】
読取装置１の制御部１１は、ステップＳ１０７において行われた認証処理の結果、認証が成功した場合、操作部１４による第１利用者の操作の受け付けを制限する（ステップＳ３０１）。具体的には、制御部１１は、この操作のうち読取部１６に原稿を読み取らせる指示を示すものについて受け付けを中断する。すなわち、操作部１４は、例えば画像形成部１７により画像を形成させる操作を第１利用者から受け付けるが、読取部１６を用いた操作を受け付けない。そして、制御部１１は、端末装置２から受け取った指示に応じて読取部１６が原稿を読み取ることを許可し、ステップＳ１０８において、読取部１６は第１利用者が供給した原稿を読み取る。なお、認証処理の結果、認証が成功した場合、制御部１１は、操作部１４が受け付けた第１利用者の操作に応じた指示に基づき、読取部１６に原稿を読み取らせることを禁じてもよい。
【００６５】
ステップＳ１１０において、読取部１６による原稿の読み取りと、通信部１３による画像データの送信とが成功したか否かの情報とともに、上述した指示の内容を記憶部１２に記録すると、制御部１１は、ステップＳ３０１において第１利用者が受けた制限を解除する（ステップＳ３０２）。
この構成によれば、端末装置２からの指示により読取部１６に原稿を読み取らせている期間にわたって、操作部１４は制限される。
【００６６】
３−４．変形例４
上述した変形例３において、読取装置１は、表示部１５を用いて第１利用者に情報を報知していないが、表示部１５により第１利用者が受けている制限について第１利用者に報知するようにしてもよい。例えば、第２利用者により操作される端末装置２から受信した指示に応じて読取部１６に原稿を読み取ることを制御部１１が許可している期間にわたって、制御部１１は、操作部１４による第１利用者の操作を受け付けることが制限されていることを、表示部１５を用いて第１利用者に報知してもよい。また、例えば、上述した期間にわたって、制御部１１は、操作部１４が受け付けた操作に応じて読取部１６に原稿を読み取らせることが制限されていることを、表示部１５を用いて第１利用者に報知してもよい。つまり、制御部１１は、表示部１５を用いることにより、端末装置２から受信した指示に応じて読取部１６に原稿を読み取ることを許可している期間にわたって、制限を受けている旨を第１利用者に報知する報知部として機能してもよい。
この構成によれば、端末装置２からの指示により読取部１６に原稿を読み取らせている期間にわたって操作部１４に課される制限が、第１利用者に知らされる。
【００６７】
なお、上述した報知は、表示部１５による表示を用いたものに限られない。例えば、制御部１１の制御によって予め決められた音声を放音する放音部を読取装置１が備えている場合、読取部１６が原稿を読み取ることを端末装置２に許可している期間にわたって第１利用者が操作部１４を用いて読取部１６を操作することに制限が課せられていることを、この放音部を用いることで第１利用者に報知してもよい。要するに、読取システム９において、読取装置１は、端末装置２から受信した指示に応じて読取部１６に原稿を読み取ることを許可している期間にわたって、第１利用者が操作部１４を操作して読取部１６に対し原稿を読み取らせる指示を出すことについて制限を受けている旨を第１利用者に報知すればよい。
【００６８】
３−５．変形例５
上述した実施形態において、読取装置１が行った原稿の読み取り処理に応じて、端末装置２の第２利用者に利用料を請求することについて言及されていないが、この利用料を第２利用者に請求してもよい。この場合、例えば、端末装置２からの指示に応じて読取装置１が読取部１６に行わせた原稿の読み取り処理が成功した場合に、読取装置１は端末装置２に上記の処理が成功した旨を通知するとともに、端末装置２に予め関連付けられた課金情報に基づいて第２利用者に対する課金を行ってもよい。ここで、課金情報とは、利用料を請求するために必要な情報であればどのようなものであってもよい。例えば、端末装置２を操作している利用者および課金先を特定するための情報などであってもよい。つまり、端末装置２に記憶されている第２利用者の認証情報や第２利用者のクレジットカード番号などを含むものであってもよい。また、課金情報は、端末装置２を操作している利用者を特定する情報と利用量とを対応づけた状態で端末装置２に記憶されていくものであってもよい。この場合、所定のタイミングで端末装置２に記憶された課金情報を端末装置２の外へ出力することで課金処理が完了される。
【００６９】
ここで、端末装置２からの指示の内容が、読取部１６により生成された画像データを端末装置２へ送信させるというものである場合、端末装置２は、画像データを正しく受信したときにこの読み取り処理が成功した旨の通知を読取装置１へ送信してもよい。この場合、読取装置１は、端末装置２からの通知に基づいて、上記の読み取り処理が成功したか否かを判断し、成功したと判断したときに、上述した課金を行えばよい。なお、画像データが端末装置２に正しく受信されたか否かについては、例えば、送信元で計算されて画像データとともに送信されたハッシュ値と、受信先で画像データを基に計算されたハッシュ値とを比較することによって行ったり、周知の誤り検出符号を用いたりすることで判断されればよい。
【００７０】
また、端末装置２からの指示の内容が、読取部１６により生成された画像データを、電話回線などを通じて他の画像形成装置に送信し、その画像データに示される画像を、その画像形成装置によって媒体に形成させるというものである場合、画像データが送信された画像形成装置との遣り取りに基づいて、読取装置１は、上記の読み取り処理が成功したか否かを判断し、成功したと判断したときに、上述した課金を行えばよい。
【００７１】
なお、端末装置２からの指示の内容が、読取部１６により生成された画像データによって示される画像を、読取装置１に備えられた画像形成部１７により媒体に形成させるというものである場合、読取装置１は、画像形成部１７により媒体に上記の画像が形成された場合に、上記の読み取り処理が成功したと判断し第２利用者に対して課金を行えばよい。
【００７２】
３−６．変形例６
読取装置１の制御部１１や端末装置２の制御部２１によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットなどの通信回線を経由してダウンロードさせることも可能である。なお、上記の制御部１１および制御部２１によって例示した制御手段としてはＣＰＵ以外にも種々の装置が適用される場合があり、例えば、専用のプロセッサなどが用いられる。
【符号の説明】
【００７３】
１（１ａ）…読取装置、１１（１１ａ）…制御部、１１１…特定部、１１２…受信部、１１３…認証部、１１４（１１４ａ）…許可部、１２…記憶部、１３…通信部、１４…操作部、１５…表示部、１６…読取部、１７…画像形成部、２（２ａ）…端末装置、２１（２１ａ）…制御部、２１１…第１取得部、２１２…受付部、２１３…第２取得部、２１４（２１４ａ）…送信部、２２…記憶部、２３…通信部、２４…操作部、２５…表示部、３…通信回線、９（９ａ）…読取システム
【図１】
2014036389.tif 000003
【図２】
2014036389.tif 000004
【図３】
2014036389.tif 000005
【図４】
2014036389.tif 000006
【図５】
2014036389.tif 000007
【図６】
2014036389.tif 000008
【図７】
2014036389.tif 000009
【図８】
2014036389.tif 000010
【図９】
2014036389.tif 000011
【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
読取装置と、
前記読取装置に指示を送信する端末装置とを備え、
前記読取装置は、
自読取装置を操作する第１利用者を特定する特定部と、
原稿を読み取る読取部と、
前記端末装置を操作する第２利用者の認証情報と自読取装置への指示とを当該端末装置から受信する受信部と、
前記認証情報に基づいて認証を行う認証部と、
前記認証部による認証が成功した場合に、前記受信部が受信した前記指示に応じて、前記読取部が前記原稿を読み取ることを許可する許可部とを備え、
前記端末装置は、
前記読取装置において前記特定部により特定された前記第１利用者の識別情報を当該読取装置から取得する第１取得部と、
前記第２利用者の操作を受け付ける受付部と、
前記第２利用者の識別情報を自端末装置において取得する第２取得部と、
前記第１取得部が取得した前記第１利用者の識別情報と、前記第２取得部が取得した前記第２利用者の識別情報とが決められた条件を満たす場合に、前記受付部が受け付けた操作に応じた指示と、前記認証情報とを前記読取装置へ送信する送信部とを備える
ことを特徴とする読取システム。
【請求項２】
読取装置と、
前記読取装置に指示を送信する端末装置とを備え、
前記読取装置は、
自読取装置を操作する第１利用者を特定する特定部と、
原稿を読み取る読取部と、
前記端末装置を操作する第２利用者の識別情報を含む認証情報と自読取装置への指示とを当該端末装置から受信する受信部と、
前記認証情報に基づいて認証を行う認証部と、
前記特定部により特定された前記第１利用者の識別情報と、前記第２利用者の前記識別情報とが決められた条件を満たし、且つ、前記認証部による認証が成功した場合に、前記受信部が受信した前記指示に応じて、前記読取部が前記原稿を読み取ることを許可する許可部とを備え、
前記端末装置は、
前記第２利用者の操作を受け付ける受付部と、
前記認証情報を自端末装置において取得する取得部と、
前記受付部が受け付けた操作に応じた指示と、前記認証情報とを前記読取装置へ送信する送信部とを備える
ことを特徴とする読取システム。
【請求項３】
前記読取装置は、
前記第１利用者の操作を受け付け、当該操作に応じて前記読取部に前記原稿を読み取らせる読取制御部と、
前記許可部により前記読取部が前記原稿を読み取ることを許可されている期間にわたって、前記読取制御部が前記操作を受け付けること、または前記読取制御部が受け付けた前記操作に応じて前記読取部に前記原稿を読み取らせることを制限する制限部とを備える
ことを特徴とする請求項１または２に記載の読取システム。
【請求項４】
前記読取装置は、
前記期間にわたって、前記制限部による制限を受けている旨を前記第１利用者に報知する報知部を備える
ことを特徴とする請求項３に記載の読取システム。
【請求項５】
前記読取装置は、
前記端末装置が、前記指示に基づいた結果を自読取装置から受信したことに基づいて、当該端末装置に記憶されている前記第２利用者の課金情報を用いて前記第２利用者に課金する処理を行う課金手段を備える
ことを特徴とする請求項１から４のいずれか１項に記載の読取システム。
【請求項６】
自読取装置を操作する第１利用者を特定する特定部と、原稿を読み取る読取部と、端末装置を操作する第２利用者の認証情報と自読取装置への指示とを当該端末装置から受信する受信部と、前記第２利用者の認証情報に基づいて認証を行う認証部と、前記認証部による認証が成功した場合に、前記受信部が受信した前記指示に応じて、前記読取部が前記原稿を読み取ることを許可する許可部とを備える読取装置から、前記特定部により特定された前記第１利用者の識別情報を取得する第１取得部と、
前記第２利用者の操作を受け付ける受付部と、
前記第２利用者の識別情報を当該端末装置において取得する第２取得部と、
前記第１取得部が取得した前記第１利用者の識別情報と、前記第２取得部が取得した前記第２利用者の識別情報とが決められた条件を満たす場合に、前記受付部が受け付けた操作に応じた指示と、前記認証情報とを前記読取装置へ送信する送信部と
を備える前記端末装置。
【請求項７】
第２利用者の操作を受け付ける受付部と、前記第２利用者の識別情報を含む認証情報を自端末装置において取得する取得部と、前記受付部が受け付けた前記操作に応じた指示と、前記認証情報とを送信する送信部とを備える端末装置から、前記認証情報と前記指示とを受信する受信部と、
自読取装置を操作する第１利用者を特定する特定部と、
原稿を読み取る読取部と、
前記認証情報に基づいて認証を行う認証部と、
前記特定部により特定された前記第１利用者の識別情報と、前記第２利用者の前記識別情報とが決められた条件を満たし、且つ、前記認証部による認証が成功した場合に、前記受信部が受信した前記指示に応じて、前記読取部が前記原稿を読み取ることを許可する許可部と
を備える読取装置。
【請求項８】
自読取装置を操作する第１利用者を特定する特定部と、原稿を読み取る読取部と、端末装置を操作する第２利用者の認証情報と自読取装置への指示とを当該端末装置から受信する受信部と、前記第２利用者の認証情報に基づいて認証を行う認証部と、前記認証部による認証が成功した場合に、前記受信部が受信した前記指示に応じて、前記読取部が前記原稿を読み取ることを許可する許可部とを備える読取装置に対し、指示を送信する前記端末装置のコンピュータを、
前記特定部により特定された前記第１利用者の識別情報を前記読取装置から取得する第１取得部と、
前記第２利用者の操作を受け付ける受付部と、
前記第２利用者の識別情報を前記端末装置において取得する第２取得部と、
前記第１取得部が取得した前記第１利用者の識別情報と、前記第２取得部が取得した前記第２利用者の識別情報とが決められた条件を満たす場合に、前記受付部が受け付けた操作に応じた指示と、前記認証情報とを前記読取装置へ送信する送信部
として機能させるためのプログラム。
【請求項９】
第２利用者の操作を受け付ける受付部と、前記第２利用者の識別情報を含む認証情報を自端末装置において取得する取得部と、前記受付部が受け付けた前記操作に応じた指示と、前記認証情報とを送信する送信部とを備える端末装置から、前記認証情報と前記指示とを受信する読取装置のコンピュータを、
前記読取装置を操作する第１利用者を特定する特定部と、
原稿を読み取る読取部と、
前記認証情報に基づいて認証を行う認証部と、
前記特定部により特定された前記第１利用者の識別情報と、前記第２利用者の前記識別情報とが決められた条件を満たし、且つ、前記認証部による認証が成功した場合に、受信した前記指示に応じて、前記読取部が前記原稿を読み取ることを許可する許可部
として機能させるためのプログラム。
【請求項１０】
原稿を読み取る読取装置で取得された第１利用者の識別情報を当該読取装置から取得する取得部と、
第２利用者の認証情報と前記読取装置での読取指示とを受け付ける受付部と、
前記識別情報と前記認証情報が一致する場合に、前記読取指示と前記認証情報とを前記読取装置へ送信し、前記識別情報と前記認証情報が一致しない場合に、前記読取指示と前記認証情報とを前記読取装置へ送信しない送信部と
を備えることを特徴とする端末装置。
【請求項１１】
原稿を読み取る読取部と、
自読取装置を操作する操作者の認証情報を取得する取得部と、
前記認証情報に基づいて認証を行う認証部と、
端末装置を操作する操作者の識別情報と、自読取装置への指示とを受け取る受取部と
を備え、
前記読取部は、前記識別情報と前記認証情報とが決められた条件を満たし、且つ、前記認証部による認証が成功した場合に、前記指示に従って原稿を読み取る
ことを特徴とする読取装置。
【手続補正２】
【補正対象書類名】明細書
【補正対象項目名】００１３
【補正方法】変更
【補正の内容】
【００１３】
本発明の請求項９に係るプログラムは、第２利用者の操作を受け付ける受付部と、前記第２利用者の識別情報を含む認証情報を自端末装置において取得する取得部と、前記受付部が受け付けた前記操作に応じた指示と、前記認証情報とを送信する送信部とを備える端末装置から、前記認証情報と前記指示とを受信する読取装置のコンピュータを、前記読取装置を操作する第１利用者を特定する特定部と、原稿を読み取る読取部と、前記認証情報に基づいて認証を行う認証部と、前記特定部により特定された前記第１利用者の識別情報と、前記第２利用者の前記識別情報とが決められた条件を満たし、且つ、前記認証部による認証が成功した場合に、受信した前記指示に応じて、前記読取部が前記原稿を読み取ることを許可する許可部として機能させるためのプログラムである。
本発明の請求項１０に係る端末装置は、原稿を読み取る読取装置で取得された第１利用者の識別情報を当該読取装置から取得する取得部と、第２利用者の認証情報と前記読取装置での読取指示とを受け付ける受付部と、前記識別情報と前記認証情報が一致する場合に、前記読取指示と前記認証情報とを前記読取装置へ送信し、前記識別情報と前記認証情報が一致しない場合に、前記読取指示と前記認証情報とを前記読取装置へ送信しない送信部とを備えることを特徴とする。
本発明の請求項１１に係る読取装置は、原稿を読み取る読取部と、自読取装置を操作する操作者の認証情報を取得する取得部と、前記認証情報に基づいて認証を行う認証部と、端末装置を操作する操作者の識別情報と、自読取装置への指示とを受け取る受取部とを備え、前記読取部は、前記識別情報と前記認証情報とが決められた条件を満たし、且つ、前記認証部による認証が成功した場合に、前記指示に従って原稿を読み取ることを特徴とする。